(57)【要約】【課題】エンドガイドの操作性を高める。【解決手段】エンドガイド１０，１１の近傍位置に、それらのエンドガイド１０，１１に対応するシートのサイズに関する情報を表示する指標１００，１０１を設け、ユーザが視認できるようにする。【選択図】図３
2017039602.tif 000002
【特許請求の範囲】
【請求項１】
載置部に載置されるシートの側端を規制するサイドガイドと、シートの後端を規制するエンドガイドと、を備えるトレイであって、
前記エンドガイドは、シートの後端を規制する規制状態と、規制しない非規制状態と、を切り替えることが可能であり、
前記エンドガイドの近傍に、当該エンドガイドに対応するシートのサイズに関する情報を表示する指標が設けられており、載置されるシートのサイズに関する前記指標をユーザが視認することができることを特徴とするトレイ。
【請求項２】
前記エンドガイドおよび前記指標は、シートのサイズに応じて異なる複数の位置のそれぞれに設けられていることを特徴とする請求項１に記載のトレイ。
【請求項３】
前記サイドガイドは、シートのサイズに応じてスライド可能であることを特徴とする請求項２に記載のトレイ。
【請求項４】
前記指標は前記載置部に設けられ、
前記サイドガイドは、少なくとも前記指標と対向する部分に切り欠き部が形成されていることを特徴とする請求項１から３のいずれか１項に記載のトレイ。
【請求項５】
前記指標は前記載置部に設けられ、
前記サイドガイドは前記指標と対向する部分が透明であることを特徴とする請求項１から３のいずれか１項に記載のトレイ。
【請求項６】
前記指標は前記サイドガイドに設けられることを特徴とする請求項１から３のいずれか１項に記載のトレイ。
【請求項７】
前記エンドガイドは、前記載置部の上方に回動することにより前記規制状態となり、前記載置部の下方に回動することにより前記非規制状態となることを特徴とする請求項１から６のいずれか１項に記載のトレイ。
【請求項８】
前記エンドガイドは、シートの先端から後端に向かって回動、シートの後端からシートの先端に向かって回動、または、シートの側端の一方から他方に向かって回動することにより、前記非規制状態から前記規制状態に切り替わることを特徴とする請求項７に記載のトレイ。
【請求項９】
前記載置部は、前記非規制状態になる前記エンドガイドを受け入れる凹部を含み、
前記指標は前記凹部に設けられ、
前記エンドガイドは、前記非規制状態なったときに前記指標と対向する部分に、切り欠き部が形成されていることを特徴とする請求項７または８に記載のトレイ。
【請求項１０】
前記載置部は、前記非規制状態になる前記エンドガイドを受け入れる凹部を含み、
前記指標は前記凹部に設けられ、
前記エンドガイドは、前記非規制状態になったときに前記指標と対向する部分が透明であることを特徴とする請求項７または８に記載のトレイ。
【請求項１１】
前記サイドガイドが所定サイズのシートに対応する位置にスライドされたときに、前記所定サイズのシートに対応する前記エンドガイドを前記規制状態にするユーザ操作が許容され、前記所定サイズのシートに対応しない前記エンドガイドを前記規制状態にするユーザ操作ができなくなることを特徴とする請求項３に記載のトレイ。
【請求項１２】
載置部に載置されるシートの側端を規制するためにスライド可能なサイドガイドと、シートの後端を規制するエンドガイドと、を備えるトレイであって、
前記エンドガイドは、シートの後端を規制する規制状態と、規制しない非規制状態と、を切り替えることが可能であり、
前記サイドガイドが所定サイズのシートに対応する位置にスライドされたときに、前記所定サイズのシートに対応する前記エンドガイドを前記規制状態にするユーザ操作が許容され、前記所定サイズのシートに対応しない前記エンドガイドを前記規制状態にするユーザ操作ができなくなることを特徴とするトレイ。
【請求項１３】
請求項１から１２のいずれか１項に記載のトレイと、
前記トレイに載置されるシートを処理する処理部と、
を備えることを特徴とするシート処理装置。
【請求項１４】
前記処理部は、シートに画像をプリントするプリント部またはシートの画像を読取る読取部であることを特徴とする請求項１３に記載のシート処理装置。
【発明の詳細な説明】
【技術分野】
【０００１】
本発明は、シートを載置可能なトレイと、そのトレイに載置されるシートに対して画像のプリント処理などの種々の処理を施すシート処理装置と、に関するものである。
【背景技術】
【０００２】
特許文献１には、プリント媒体としてのシートを収容可能なトレイと、そのトレイから供給されたシートに画像をプリントするプリント部と、を含むプリント装置（シート処理装置）が記載されている。そのトレイには、Ａ４サイズ、はがきサイズ、Ｌ版サイズなどの種々のサイズのシートを位置決めして載置できるように、それらのシートの側端部の位置を規制するサイドガイドと、それらのシートの後端部の位置を規制するエンドガイドと、が備えられている。サイドガイドは、シートの幅方向のサイズに応じて位置調整が可能である。エンドガイドは、シートの長さ方向のサイズに対応する複数の位置のそれぞれに備えられており、シートの後端部の位置を規制する規制位置と、それを規制しない非規制位置と、の間において切り替えることが可能に構成されている。これらのエンドガイドは、ユーザにより、シートのサイズに応じて選択的に切り替えられる。すなわち、シートの長さ方向のサイズに対応する位置に備わるエンドガイドのみが規制位置に移動され、他のエンドガイドは、シートと干渉しない非規制位置に移動させる。
【先行技術文献】
【特許文献】
【０００３】
【特許文献１】特開２０１３−１１６８０１号公報
【発明の概要】
【発明が解決しようとする課題】
【０００４】
特許文献１に記載のカセットにおいて、ユーザは、シートのサイズと、それに応じて規制位置に移動させるべきエンドガイドと、の関係を把握することが難しく、規制位置に移動させるべきエンドガイドを速やかに選択することができなかった。
【０００５】
本発明の目的は、エンドガイドの操作性に優れたトレイおよびシート処理装置を提供することにある。
【課題を解決するための手段】
【０００６】
本発明のトレイは、載置部に載置されるシートの側端を規制するサイドガイドと、シートの後端を規制するエンドガイドと、を備えるトレイであって、前記エンドガイドは、シートの後端を規制する規制状態と、規制しない非規制状態と、を切り替えることが可能であり、前記エンドガイドの近傍に、当該エンドガイドに対応するシートのサイズに関する情報を表示する指標が設けられており、載置されるシートのサイズに関する前記指標をユーザが視認することができることを特徴とする。
【発明の効果】
【０００７】
本発明によれば、エンドガイドの近傍位置に設けた指標を視認することにより、ユーザは、シートのサイズと規制状態にすべきエンドガイドとの関係を容易に把握することができる。この結果、規制状態にすべきエンドガイドを速やかに選択して、そのエンドガイドの操作性を高めることができる。
【図面の簡単な説明】
【０００８】
【図１】本発明のトレイの基本構成の説明図である。
【図２】図１のトレイの説明図である。
【図３】本発明のトレイの特徴的な構成を説明するための要部の平面図である。
【図４】本発明のトレイの他の特徴的な構成を説明するための要部の平面図である。
【図５】本発明のトレイのさらに他の特徴的な構成を説明するための要部の平面図である。
【発明を実施するための形態】
【０００９】
以下、本発明の実施形態を図面に基づいて詳細に説明する。
【００１０】
（基本構成）
図１および図２は、本発明を適用可能なトレイの基本構成を説明するための図である。本例のトレイ１（カセットとも言う）は、図１（ａ）のようにプリント装置３００に備えられており、画像のプリント対象としてのシート（プリント媒体）が複数枚積載される。それらのシートは、１枚ずつピックアップされて、プリント装置３００のプリント部に供給される。そのトレイ１の上部を覆うトレイカバー３０１には、画像がプリントされたシートが排出される。したがって、本例のトレイ１は、プリント装置３００のプリント部にシートを供給する給紙トレイとしての機能と、そのプリント部にて画像がプリントされたシートが排出される排紙トレイとして機能と、を兼有する。トレイ１の上方には、プリント装置３００の操作パネル３０２が配備されている。
【００１１】
トレイ１は、図１（ｂ）のように略箱型の形状であり、シートを載置する載置部２と、シート搬出方向（矢印Ｙ方向）上流側のシート後端部の位置を規制する後端壁部４と、を含む。トレイ１には種々のシートが載置可能であり、代表的なシートとしては、例えば、Ａ４サイズ、はがきサイズ、Ｌ版等の長方形状のシートなどを挙げることができる。このような種々のサイズのシートに対応するために、トレイ１の載置部２には、シートの側端部の位置を規制する左右一対のサイドガイド３（１），３（２）と、シートの後端部の位置を規制するエンドガイド５，６と、が配備されている。サイドガイド３（１），３（２）は、シートの幅方向（矢印Ｘ方向）に位置調整できるようにスライド可能に配備され、エンドガイド５，６は、後端壁部４よりもシート搬送方向下流側に配備されている。サイドガイド３（１），３（２）のそれぞれは、シート搬送方向に延在するガイド面３Ａ（１），３Ａ（２）が形成されている。これらのガイド面３Ａ（１），３Ａ（２）がシートの幅方向の両端部に接触することにより、シートが幅方向に移動しないようにシートの幅方向の両端部の位置が規制される。本例のトレイ１は、シートの幅方向の中央の位置を基準としてシートを搬出する。そのために、サイドガイド３（１），３（２）は、シートの幅方向の中央に対して対称的に位置するように、互いに機械的に連動して幅方向に位置調整される。すなわち、サイドガイド３（１），３（２）は、図１（ｂ）のように互いに離間する矢印Ａ１，Ｂ１方向に連動してスライドし、かつ、図２（ａ）のように互いに接近する矢印Ａ２，Ｂ２方向に連動してスライドするように構成されている。
【００１２】
後端壁部４およびエンドガイド１０，１１は、載置部２に載置されたシートの後端部に接触することにより、シートが搬出方向の反対側にずれないように、シートの後端部の位置を規制する。エンドガイド１０，１１は後端壁部４よりも搬出方向の下流側に配備され、エンドガイド１１は、エンドガイド１０よりも搬出方向の上流側に配備されている。これらのエンドガイド１０，１１は同一構造である。
【００１３】
エンドガイド１０，１１は、ユーザ操作により、それぞれ軸線Ｏ１，Ｏ２を中心として下方および上方に回動可能である。エンドガイド１０，１１は、下方に回動することにより、図２（ｂ）のようにシートの後端部と接触しない非規制位置に変位して非規制状態となる。逆に、上方に回動することにより、図２（ｃ）のようにシートの後端部と接触可能な規制位置に変位して規制状態に切り替わる。
【００１４】
エンドガイド１０，１１は同一構造であるため、以下においては、エンドガイド１０の構成を代表して説明する。エンドガイド１０は板形状であり、載置部２に対して、左右のヒンジ部１０Ａ（１），１０Ａ（２）によって、軸線Ｏ１を中心として回動可能に取り付けられている。ヒンジ部１０Ａ（１），１０Ａ（２）は、その凸部が載置部２の不図示の凹部と嵌り合うことにより、載置部２に回動可能に取り付けられる。エンドガイド１０は、軸線Ｏ１を中心として矢印Ｃ１に回動されることにより、図２（ｂ）のような非規制位置に変位して非規制状態に切り替わる。また、矢印Ｃ２方向に回動されることにより図２（ｃ）のような規制位置に変位して規制状態に切り替わる。
【００１５】
エンドガイド１０は、ヒンジ部１０Ａ（１），１０Ａ（２）に矢印Ｄ１，Ｄ２方向の弾性力が付与するように形成されており、その弾性力によって、エンドガイド１０が非規制位置（非規制状態）および規制位置（規制状態）に弾性的に保持される。図２（ｂ）の非規制位置におけるエンドガイド１０は、載置部２から搬出されるシートに負荷を与えないように、載置部２の表面から上方に突出しない位置に位置決めされる。また、規制位置のエンドガイド１０は、載置部２の上面に対して略垂直に起立するように位置決めされる。例えば、エンドガイド１０の一部と載置部２の一部とを付き当ててエンドガイド１０を位置決めし、ヒンジ部１０Ａ（１），１０Ａ（２）の弾性を利用して、エンドガイド１０を規制位置に保持するように構成する。
【００１６】
本例において、エンドガイド１０ははがきサイズのシートに対応し、エンドガイド１１はＬ版サイズのシートに対応する。載置部２には、エンドガイド１０がはがきサイズのシートに対応するものであることをユーザに示す指標１００と、エンドガイド１１がＬ版サイズのシートに対応するものであることをユーザに示す指標１０１が配されている。これらの指標は、エンドガイドに対応するシートのサイズを文字または図と、エンドガイドがガイドするシートの後端部の位置を大まかに示すラインと、を含む。本例の場合、指標１００，１０１は載置部２に刻印されており、指標１００は、「Ｐｈｏｔｏ  Ｌ」の文字とラインとを含み、指標１０１は、「はがき」の文字とラインとを含む。これらの指標１００，１０１は、対応するエンドガイド１０，１１の近傍位置においては、そのエンドガイドに対応するシートのサイズに関する情報を表示するものであればよい。
【００１７】
このようなトレイ１の基本構成において、例えば、Ｌ版サイズのシートを載置部２上にセットする場合、ユーザは、次のような３つの動作（ａ），（ｂ），（ｃ）を行う必要がある。これらの動作（ａ），（ｂ），（ｃ）は順不同である。
（ａ）「サイドガイド３（１），３（２）をＬ版サイズに対応する位置にセットする」
（ｂ）「Ｌ版サイズに対応するエンドガイド１０を規制位置（規制状態）にセットする」
（ｃ）「シートを載置部２に載置する」
図２（ａ）は、図３にユーザが最初に動作（ａ）によって、サイドガイド３（１），３（２）をＬ版サイズに対応する位置にセットした状態を示す。この場合には、サイドガイド３が指標１００，１０１を隠す位置に移動する。そのためユーザは、エンドガイド１０，１１のどちらを規制位置にセットすべきかを指標１００，１０１によって確認することが難しい。
【００１８】
本発明は、このようなトレイ１の基本構成における指標１００，１０１の視認性を高めるために、以下のような特徴的な構成１から８の少なくとも１つを備える。図３から図５は、これらの特徴的な構成１から８を説明するための図であり、これらの図は、図２（ａ）におけるトレイ１上の領域Ｓの部分の構成のみを示す。
【００１９】
（特徴的な構成１）
図３（ａ）のように、指標１００，１０１の上方位置をスライド範囲に含むサイドガイド３（１）に、指標１００，１０１を隠さないための切り欠き部３Ｃ，３Ｄを形成する。これらの切り欠き部３Ｃ，３Ｄは、サイドガイド３（１）がいずれの位置にスライドしたとしても指標１００，１０１の視認性を高めることができる。切り欠き部３Ｃ，３Ｄの形状は任意であり、穴形状であってもよい。
【００２０】
（特徴的な構成２）
図３（ｂ）のように、サイドガイド３（１），３（２）のうちの少なくともサイドガイド３（１）は、透明部材によって構成する。これにより、サイドガイド３（１）がいずれの位置にスライドしたとしても指標１００，１０１の視認性を高めることができる。サイドガイド３（１）は、少なくとも指標１００，１０１とオーバーラップする領域が透明であればよく、他の領域は非透明な部材によって構成されてもよい。
【００２１】
（特徴的な構成３）
図３（ｃ）のように、指標１００，１０１をサイドガイド３（１）に設ける。これにより、サイドガイド３（１）がいずれの位置にスライドしたとしても、ユーザは指標１００，１０１を視認することができる。指標１００，１０１をサイドガイド３（１）の表面に設ける場合には、シートとの接触を考慮して、凸形状とならないよう設けることが望ましい。例えば、指標１００，１０１を凹形状の刻印によって設けることができる。
【００２２】
（特徴的な構成４）
図３（ｄ）のように、指標１００，１０１をエンドガイド１０、１１に設ける。これにより、サイドガイド３（１）がいずれの位置にスライドしたとしても、ユーザは指標１００，１０１を視認することができる。
【００２３】
（特徴的な構成５）
図４（ａ）のように、非規制位置（非規制状態）のエンドガイド１０，１１が位置する載置部２の凹部２Ａ（図２（ｃ）参照）に、指標１００，１０１を設けると共に、エンドガイド１０，１１に窓部１０Ｂ，１１Ｂを形成する。これにより、図４（ａ）のようにエンドガイド１０，１１が非規制位置にあるときに、ユーザは、窓部１０Ｂ，１１Ｂを通して指標１００，１０１を視認することができる。窓部１０Ｂ，１１Ｂは、切り欠き形状であってもよい。
【００２４】
エンドガイド１０，１１に窓部１０Ｂ，１１Ｂを形成する代わりに、図４（ｂ）のように、少なくとも指標１００，１０１と対向するエンドガイド１０，１１の部分を透明部材によって構成してもよい。この場合には、図４（ｂ）のようにエンドガイド１０，１１が非規制位置にあるときに、ユーザは、エンドガイド１０，１１の透明部分を通して指標１００，１０１を視認することができる。
【００２５】
（特徴的な構成６）
図４（ｃ），（ｄ）のように、前述した図３（ｃ）の構成３のサイドガイド３（１）に対して、突起部３Ｂを設ける。シートの複数の規定サイズのうち、最も幅が小さいシートのサイズに対応するように、サイドガイド３（１）がサイドガイド３（２）と共にセットされた場合、サイドガイド３（１）は図４（ｃ）のような位置に調整される。このときサイドガイド３（１）は、最も幅が小さいシートのサイズに対応するエンドガイドのみを位置に回動可能とし、他のエンドガイドに関しては、その上に突起部３Ｂが位置することによって規制位置への回動を不可能とする。
【００２６】
サイドガイド３（１），３（２）をＬ版サイズのシートの幅に対応する位置にスライドさせたときに、図４（ｃ）のように、サイドガイド３（１）がエンドガイド１０を規制状態にするユーザ操作を許容する。その一方、エンドガイド１１を規制状態にするユーザ操作はできなくなる。エンドガイド１０は、Ｌ版サイズのシートに対応するエンドガイドである。一方、図４（ｄ）のように、サイドガイド３（１），３（２）をはがきサイズのシートの幅に対応する位置にスライドさせたときには、突起部３Ｂは、そのシートに対応するエンドガイド１１の上方から離れる。このように、サイドガイド３（１）とエンドガイド１０，１１との位置関係から、ユーザは、シートのサイズに対応するエンドガイド、つまり規制位置にセットすべきエンドガイドを直感的に認識することができる。
【００２７】
本例においては、前述した図３（ｃ）の構成３のサイドガイド３（１）に対して、突起部３Ｂが設けられている。しかし、前述した構成１，２，４，５のサイドガイド３（１）に対して、突起部３Ｂを設けてもよい。
【００２８】
（特徴的な構成７）
仮に、前述した構成１において、図５（ａ）のように、サイドガイド３（１），３（２）をセットしてから所定サイズのシート２００をセットし、その後にエンドガイド１３、１４をセットしようとした場合、指標１００，１０１はシート２００に覆われてしまう。この場合には、ユーザは指標１００，１０１を視認することができず、シート２００に対応するエンドガイド１１を規制位置に回動させることもできなくなる。
【００２９】
そこで特徴的な構成７においては、図５（ｂ）のように、エンドガイド１０，１１の回動軸線Ｏ１，Ｏ２の位置を搬出方向（矢印Ｙ方向）の下流側に設定した。エンドガイド１０，１１は、回動軸線Ｏ１，Ｏ２を中心として、シートの後端部から先端部に向かって回動、つまりシート搬送方向の下流側に向けて起立される。逆に、シートの前端部から後端部に向かって回動、つまりシート搬送方向の上流側に向けて倒伏されることになる。この結果、図５（ｂ）のように、シート２００をセットした後においても、そのシート２００に邪魔されることなく、それに対応するエンドガイド１１を規制位置に回動させることができる。
【００３０】
（特徴的な構成８）
図５（ｃ）のように、エンドガイド１０，１１の回動軸線Ｏ１，Ｏ２の位置をシート幅方向（矢印Ｘ方向）の一方側（同図中の左側）に設定した。エンドガイド１０，１１は、回動軸線Ｏ１，Ｏ２を中心として上方に回動されることにより起立され、それと逆に下方に回動されることにより倒伏されることになる。この結果、図５（ｃ）のように、シート２００をセットした後においても、そのシート２００に邪魔されることなく、それに対応するエンドガイド１１を規制位置に回動させることができる。エンドガイド１０，１１の回動軸線Ｏ１，Ｏ２の位置は、シート幅方向の他方側（図５（ｃ）中の右側）に設定してもよい。
【００３１】
（他の実施形態）
エンドガイドの配備数は、少なくとも１つであればよい。また、エンドガイドを複数配備する場合には、少なくとも１つのエンドガイドに対して指標を設ければよい。また、エンドガイドは規制位置（規制状態）と非規制位置（非規制状態）に切り替えるように変位可能であればよく、その形態は回動による変位に限定されず、例えば、上方下方向に直線的に移動して変位する形態であってよい。
【００３２】
本発明のトレイに載置されるシートは、プリント対象としてのプリント媒体のみに限定されず、例えば、画像情報の読取り対象の原稿、および種々の加工対象のシート材などであってもよい。したがって、本発明のトレイは、種々のシートを給送するための装置において広く適用することができる。また、本発明のシート処理装置は、このようなトレイから給送されるシートに対して種々の処理を実施する装置として広く適用することができる。つまり、本発明のシート処理装置は、シートに画像をプリントするプリント部（処理部）を備えたプリント装置、およびシートの画像情報の読取る読取部（処理部）を備えた画像読取装置などとして適用することができる。さらに、種々のシート材に対して折り曲げおよび穿孔などの加工を施す加工部（処理部）を備えた加工装置などとしても適用することができる。また、本発明のトレイは、外部から排出される種々のシートを受容するためのトレイとしても用いることができる。
【符号の説明】
【００３３】
１  トレイ
２  載置部
３（１），３（２）  サイドガイド
１０，１１  エンドガイド
１００，１０１  指標
２００  シート
３００  プリント装置
【図１】
2017039602.tif 000003
【図２】
2017039602.tif 000004
【図３】
2017039602.tif 000005
【図４】
2017039602.tif 000006
【図５】
2017039602.tif 000007